(57)【要約】      （修正有）【課題】転換式ベビーカーを提供する。【解決手段】転換式ベビーカーは、フレームと、それぞれ第一の回転シャフト及び第二の回転シャフトによってフレームの下方部分に連結された前部連結部材及び後部連結部材と、前部連結部材に取り付けられた前輪５と、後部連結部材に取り付けられた後輪６と、前部連結部材とフレームとの間の相対位置を制限するための前部ロック機構と、後部連結部材とフレームとの間の相対位置を制限するための後部ロック機構とを備える、【選択図】図１
2014129081.tif 000002
【特許請求の範囲】
【請求項１】
支持ロッド(2)、及び、第一の動作位置と第二の動作位置との間で前記支持ロッドに対して後方及び前方に移行させることができるように回転軸が横方向に延在した状態で下方部分において前記支持ロッド(2)に回転可能に連結されているプッシュロッド(1)を含むフレームと、
前記フレーム上に配置された座席ポケット(24)と、
第一の回転シャフト(12)により前記フレームの第一の下方部分に回転可能に連結された前部連結部材(11)と、
第二の回転シャフト(17)により前記フレームの第二の下方部分に回転可能に連結された後部連結部材(16)と、
前記前部連結部材(11)上に配置された前輪(5)と、
前記後部連結部材(16)上に配置された後輪(6)と、
前記前部連結部材(11)を前記フレームに対してロックするための、前部ロック機構と、
前記後部連結部材(16)を前記フレームに対してロックするための、後部ロック機構と、
前記後部ロック機構のロック及びロック解除を制御するために前記後部ロック機構に連結された第一の牽引機構であって、前記支持ロッド(2)上に移動可能に配置された摺動ブロック(19)と、近位端が前記摺動ブロック(19)に連結され遠位端が前記後部ロック機構に連結されている第一の牽引ロープ(18)と、前記摺動ブロック(19)と協働するために前記プッシュロッド(1)上に配置された傾斜面(22)とを含む第一の牽引機構と、
前記前部ロック機構のロック及びロック解除を制御するために前記前部ロック機構に連結された第二の牽引機構であって、回転シャフトの周りで回転可能とされている前記プッシュロッド(1)上に配置された回り車(23)と、近位端が前記回り車(23)の前記回転シャフトから離間された位置で前記回り車(23)に連結されており遠位端が前記前部ロック機構に連結されている第二の牽引ロープ(7)とを含む第二の牽引機構と、
を備えている、転換式ベビーカーであって、
前記プッシュロッド(1)は、前記前部ロック機構及び前記後部ロック機構の操作部材として前記第一の牽引機構及び前記第二の牽引機構に連結されており、
前記プッシュロッド(1)が前記第一の動作位置にあるときには、前記傾斜面(22)が、前記摺動ブロック(19)に接触し且つ前記摺動ブロック(19)を押して、前記第一の牽引機構により前記後部ロック機構をロックし、前記第二の牽引機構により前記前部ロック機構をロック解除するものであり、
前記プッシュロッド(1)が前記第二の動作位置にあるときには、前記傾斜面(22)が、前記摺動ブロック(19)から分離されて、前記第一の牽引機構により前記後部ロック機構をロック解除し、前記第二の牽引機構により前記前部ロック機構をロックするものである、転換式ベビーカー。
【請求項２】
前記前部ロック機構が、前記前部連結部材(11)上に設けられた前部スロット(10)と、前記フレーム上に移動可能に配置され且つ前記第二の牽引ロープ(7)に連結された前部ボルト(9)とを備え、
前記前部ボルト(9)は、前記前部ロック機構がロックされるときには前記前部スロット(10)と係合し、前記第二の牽引ロープ(7)を引っ張ることにより前記前部スロット(10)から分離されて、前記前部ロック機構をロック解除させることが可能である、請求項1に記載の転換式ベビーカー。
【請求項３】
前記後部ロック機構が、前記後部連結部材(16)上に設けられた後部スロット(15)と、前記フレーム上に移動可能に配置され、且つ前記第一の牽引ロープ(18)に連結され前記後部スロット(15)に分離可能に連結された、後部ボルト(14)とを備え、
前記後部ボルト(14)は、前記後部ロック機構がロックされるときには前記後部スロット(15)と係合し、前記第一の牽引ロープ(18)を引っ張ることにより前記後部スロット(15)から分離されて、前記後部ロック機構をロック解除させることが可能である、請求項1に記載の転換式ベビーカー。
【請求項４】
前記フレームは、双方の上方部分が互いに連結された前輪支持体(3)及び後輪支持体(4)をさらに備え、
前記前部連結部材(11)及び前記前部ボルト(9)は前記前輪支持体(3)上に配置されており、前記後部連結部材(16)及び前記後部ボルト(14)は前記後輪支持体(4)上に配置されている、請求項2又は3に記載の転換式ベビーカー。
【請求項５】
前記支持ロッド(2)が、一方は前記前輪支持体(3)の上方部分に連結され、もう一方は前記座席ポケット(24)に連結された二つの端部を有している、請求項4に記載の転換式ベビーカー。
【請求項６】
前記摺動ブロック(19)は、前記支持ロッド(2)の長手方向に沿って移動することができるように前記支持ロッド(2)内に配置されており、前記支持ロッド(2)の前記長手方向に沿って前記支持ロッド(2)に開けられている腰部穴内で移動することができるように前記腰部穴から突出している突出部(21)を有しており、
前記プッシュロッド(1)が前記第一の動作位置にあるときには、前記傾斜面(22)が前記突出部(21)に接触して前記突出部(21)を押し、
前記プッシュロッド(1)が前記第二の動作位置にあるときには、前記傾斜面(22)が前記突出部(21)から分離される、請求項1に記載の転換式ベビーカー。
【請求項７】
前記プッシュロッド(1)が前記第一の動作位置にあるときには、前記傾斜面(22)が前記摺動ブロック(19)に接触し、前記摺動ブロック(19)を押して前記支持ロッド(2)の長手方向に沿って下方に動かし、
前記支持ロッド(2)上に圧縮バネ(20)が据えられており、前記圧縮バネ(20)が、前記摺動ブロック(19)を前記支持ロッド(2)の長手方向に沿って上方に動かすように前記摺動ブロック(19)に力を作用させるために使用される、請求項1に記載の転換式ベビーカー。
【請求項８】
前記フレーム上に前部バネ(8)が設けられ、
前記前部バネ(8)が、前記前部ボルト(9)を前記前部スロット(10)に挿入するように前記前部ボルト(9)に力を作用させるために使用される、請求項2に記載の転換式ベビーカー。
【請求項９】
前記フレーム上に後部バネ(13)が設けられ、
前記後部バネ(13)が、前記後部ボルト(14)を前記後部スロット(15)に挿入するように前記後部ボルト(14)に力を作用させるために使用される、請求項3に記載の転換式ベビーカー。
【請求項１０】
前記第一の回転シャフト(12)及び前記第二の回転シャフト(17)がそれぞれ、実質的に垂直方向に沿って配置されている、請求項1に記載の転換式ベビーカー。
【発明の詳細な説明】
【技術分野】
【０００１】
本発明は、転換式ベビーカーに関する。
【背景技術】
【０００２】
既存のベビーカーは一般に、向きを転換することができない。つまり、ユーザは、ベビーカーの後ろからベビーカーを前方に押し進め、また、ベビーカーは、旋回させなければ一方向にしか移動しない。しかし、場合によってはそのようなベビーカーを利用するのは都合が悪く、したがって、転換式ベビーカーに対する切迫した需要が存在する。さらに、大抵の既存のベビーカーの旋回は前輪によって制御されるものであり、したがってベビーカーの向きを変える場合には、旋回機能性を前輪から後輪に変換しなければならない。このことから、そのような機能性の変換を達成する方法が、解決すべき切迫した問題となる。
【発明の概要】
【発明が解決しようとする課題】
【０００３】
上記の技術的問題を克服するために、本発明の目的は、転換式ベビーカーを提供することである。
【課題を解決するための手段】
【０００４】
上述の目的のために、本発明では以下の技術的解決法を利用する。すなわち、支持ロッド、及び少なくとも二つの動作位置を有するプッシュロッドを含むフレームであって、プッシュロッドの下方部分が支持ロッドに回転可能に連結されており、プッシュロッドの回転の軸線が横方向に延在しているフレームと、フレーム上に配置された座席ポケットと、第一の回転シャフトによりフレームの下方部分に回転可能に連結された前部連結部材と、第二の回転シャフトによりフレームの下方部分に回転可能に連結された後部連結部材と、前部連結部材上に配置された前輪と、後部連結部材上に配置された後輪と、前部連結部材とフレームとの間の相対位置を制限するための前部ロック機構と、後部連結部材とフレームとの間の相対位置を制限するための後部ロック機構と、を備えている、転換式ベビーカーであって、フレームが、後部ロック機構のロック及びロック解除を制御するために後部ロック機構に連結された第一の牽引機構と、前部ロック機構のロック及びロック解除を制御するために前部ロック機構に連結された第二の牽引機構とを含み、第一の牽引機構が、支持ロッド上に移動可能に配置された摺動ブロックと、一方の端部が摺動ブロックに接続されておりもう一方の端部が後部ロック機構に接続されている第一の牽引ロープと、摺動ブロックと協働するためにプッシュロッド上に配置された傾斜面とを含み、第二の牽引機構が、プッシュロッド上に配置された回り車と、一方の端部が回り車に連結されておりもう一方の端部が前部ロック機構に連結されている第二の牽引ロープとを備え、第二の牽引ロープと回り車との連結部は、回り車の回転シャフトから離間されており、プッシュロッドは、前部及び後部ロックの機構の操作部材として第一及び第二の牽引機構に連結されており、プッシュロッドが第一の動作位置にあるときには、傾斜面が摺動ブロックに接触し、摺動ブロックを押して動かし、プッシュロッドが第一の牽引機構により後部ロック機構をロックし、第二の牽引機構により前部ロック機構をロック解除し、プッシュロッドが第二の動作位置にあるときには、傾斜面が摺動ブロックから分離され、プッシュロッドが第一の牽引機構により後部ロック機構をロック解除し、第二の牽引機構により前部ロック機構をロックする、転換式ベビーカーである。
【０００５】
本発明のベビーカーは方向転換可能であるので、前輪、後輪、前部ロック機構、及び後部ロック機構などの用語における「前(front)」及び「後(rear)」という表現は、本発明の全体にわたって、方向性を意味する代わりに、様々な部品を識別するために与えられたものである。さらに、「横方向に(laterally)」という表現は、転換式ベビーカーが通常の習慣に従ってユーザによって普通に押されるときに転換式ベビーカーの左側と右側との間に延在する方向を意味するものである。
【０００６】
前部ロック機構は、前部連結部材上に設けられた前部スロットと、フレーム上に移動可能に配置され且つ前部スロットに分離可能に連結された前部ボルトとを備え、第二の牽引ロープは、前部ボルトに連結されており、前部ロック機構がロックされるときには、前部ボルトは前部スロットに連結され、前部ロック機構がロック解除されるときには、前部ボルトは前部スロットから分離されることが好ましい。
【０００７】
後部ロック機構は、後部連結部材上に設けられた後部スロットと、フレーム上に移動可能に配置され且つ後部スロットに分離可能に連結された後部ボルトとを備え、第一の牽引ロープは、後部ボルトに連結されており、後部ロック機構がロックされるときには、後部ボルトは後部スロットに連結され、後部ロック機構がロック解除されるときには、後部ボルトは後部スロットから分離されることがより好ましい。
【０００８】
フレームは、上方部分が互いに連結された前輪支持体及び後輪支持体をさらに備え、前部連結部材及び前部ボルトは、前輪支持体上に配置されており、後部連結部材及び後部ボルトは、後輪支持体上に配置されていることがさらにより好ましい。
【０００９】
支持ロッドの一方の端部は前輪支持体の上方部分に連結され、もう一方の端部は座席ポケットに連結されることが好ましい。
【００１０】
摺動ブロックは、支持ロッドの長手方向に沿って支持ロッド内に移動可能に配置され、支持ロッドの長手方向に沿って支持ロッド上に腰部穴が開けられており、摺動ブロックは、腰部穴から突出し且つ腰部穴内で移動することができる突出部を備え、プッシュロッドが第一の動作位置にあるときには、傾斜面が突出部と接触し、突出部を押して動かし、プッシュロッドが第二の動作位置にあるときには、傾斜面が突出部から分離されることがより好ましい。
【００１１】
プッシュロッドが第一の動作位置にあるときには、傾斜面が摺動ブロックと接触し、摺動ブロックを押して支持ロッドの長手方向に沿って下方に動かし、支持ロッド上に圧縮バネが据えられ、この圧縮バネが、摺動ブロックを支持ロッドの長手方向に沿って上方に動かすように摺動ブロックに力を作用させるために使用されることがさらにより好ましい。
【００１２】
フレーム上に前部バネが設けられ、この前部バネが、前部ボルトを前部スロットに挿入するように前部ボルトに力を作用させるために使用されることが好ましい。
【００１３】
フレーム上に後部バネが設けられ、この後部バネが、後部ボルトを後部スロットに挿入するように後部ボルトに力を作用させるために使用されることが好ましい。
【００１４】
第一の回転シャフト及び第二の回転シャフトは、それぞれ、実質的に垂直方向に沿って配置されることがより好ましい。
【００１５】
上記の技術的解決法により、本発明は従来技術と比較して以下の利点を有する。すなわち、本発明では、プッシュロッドの位置を変えることにより、第一の牽引機構及び第二の牽引機構がそれぞれ、前部ボルト及び後部ボルトを制御し、それにより、前輪及び後輪の配向機構のロック及びロック解除が達成される。したがって、四つの車輪の配向転換は、プッシュロッドの向きを変えることによって達成され、追加的な操作は少しも必要とされない。
【図面の簡単な説明】
【００１６】
【図１】プッシュロッドが第一の動作位置にある、本発明による転換式ベビーカーの概略図である。
【図２】本発明による図1の転換式ベビーカーの部分「B」を示す部分図である。
【図３】本発明による図1の転換式ベビーカーの部分「C」を示す部分図である。
【図４】本発明による図1の転換式ベビーカーの部分「D」を示す部分図である。
【図５】本発明による図1の線「A-A」に沿った転換式ベビーカーの断面図である。
【図６】本発明による図5の転換式ベビーカーの部分「E」を示す部分図である。
【図７】プッシュロッドが第二の動作位置にある、本発明による転換式ベビーカーの概略図である。
【図８】本発明による図7の転換式ベビーカーの部分「F」を示す部分図である。
【図９】本発明による図7の転換式ベビーカーの部分「G」を示す部分図である。
【図１０】本発明による図7の線I-Iに沿った転換式ベビーカーの断面図である。
【図１１】本発明による図10の転換式ベビーカーの部分「H」を示す部分図である。
【発明を実施するための形態】
【００１７】
添付の図面を参照しながら、本発明を以下に説明する。しかし、各図面は、例示を目的として挙げられたものにすぎず、したがって本発明の範囲を限定するものと見なされるべきではなく、本発明が他の同様に効果的な実施形態を許容しうることに留意されたい。
【００１８】
本発明は、転換式ベビーカーを開示し、図1〜図11から分かるように、ベビーカーは、フレームと、フレーム上に配置された座席ポケット24と、フレームの下方部分にそれぞれ取り付けられた前輪5及び後輪6とを備える。
【００１９】
この実施形態のフレームはまた、上方部分が互いに連結された前輪支持体3及び後輪支持体4と、前輪ブラケット3の下方部分に取り付けられた前輪5と、後輪ブラケット4の下方部分に取り付けられた後輪6と、一方の端部が前輪支持体3の上方部分に連結されもう一方の端部が座席ポケットに連結された支持ロッド2と、前方及び後方に回転し且つ少なくとも二つの動作位置を有することができてその回転軸が横方向に延在する、プッシュロッド1と、を備える。プッシュロッド1が第一の動作位置にあるときには、プッシュロッド1は支持ロッド2に近づき、プッシュロッド1が第二の動作位置にあるときには、プッシュロッド1は支持ロッド2に対して開く。
【００２０】
前輪支持体3の下端部は、第一の回転シャフト12により、前部スロット10を有する前部連結部材11に連結され、また、第一の回転シャフト12は、実質的に垂直方向に沿って配置される。また、前輪支持体3の下端部には、前部ボルト9が移動可能に配置され、この前部ボルト9は、前部スロット10に分離可能に挿入される。前輪5は、前部連結部材11に取り付けられる。後輪支持体4の下端部は、第二の回転シャフト17により、後部スロット15を有する後部連結部材16に連結され、また、第二の回転シャフト17は、実質的に垂直方向に沿って配置される。また、後輪支持体4の下端部には、後部ボルト14が移動可能に配置され、この後部ボルト14は、後部スロット15に分離可能に挿入され、後輪6は、後部連結部材16に取り付けられる。
【００２１】
さらに、第一の牽引機構及び第二の牽引機構が、フレーム上に配置される。第一の牽引機構は、後部ボルト14に連結されて後部ボルト14を動かし、第二の牽引機構は、前部ボルト9に連結されて前部ボルト9を動かす。
【００２２】
前部バネ8が前輪支持体3上に配置され、この前部バネ8は、前部ボルト9を前部スロット10に挿入するように、前部ボルト9に力を作用させる。
【００２３】
後部バネ13が後輪支持体4上に配置され、この後部バネ13は、後部ボルト14を後部スロット15に挿入するように、後部ボルト14に力を作用させる。
【００２４】
第一の牽引機構は、支持ロッド2上に移動可能に配置された摺動ブロック19と、一方の端部が摺動ブロック19に連結されもう一方の端部が後部ボルト14に連結された第一の牽引ロープ18と、摺動ブロック19と協働するためにプッシュロッド1上に配置された傾斜面22と、を備える。摺動ブロック19は、支持ロッド2の長手方向に沿って支持ロッド2の内部に移動可能に配置され、また、腰部穴が、支持ロッド2の長手方向に沿って支持ロッド2に開けられ、摺動ブロック19は、腰部穴から突出し且つ腰部穴内で動くことができる突出部21を備える。圧縮バネ20が支持ロッド2上に据えられ、この圧縮バネ20は、摺動ブロック19を支持ロッド2の長手方向に沿って上方に動かすように、摺動ブロック19に力を作用させる。プッシュロッド1が第一の動作位置にあるときには、プッシュロッド1が支持ロッド2に近づき、傾斜面22が突出部21と接触し、さらに摺動ブロック19を押して支持ロッド2の長手方向に沿って下方に動かし、後部ボルト14が後部バネ13の作用を受けて後部スロット15に挿入され、したがって、後輪6がロックされる。プッシュロッド1が第二の動作位置になるように回転すると、プッシュロッド1が支持ロッド2に対して開き、傾斜面22が突出部21から分離され、圧縮バネ20が、摺動ブロック19を支持ロッド2の長手方向に沿って上方に押し動かし、さらに後部ボルト14が後部スロット15から分離されるように、第一の牽引ロープ18を介して後部ボルト14を動かし、したがって、後輪がロック解除される。
【００２５】
第二の牽引機構は、プッシュロッド1上に据えられた回り車23と、一方の端部が回り車23に連結されもう一方の端部が前部ボルト9に連結された第二の牽引ロープ7と、を備え、第二の牽引ロープ7と回り車23との連結部は、回り車23の回転シャフトから離間されている。つまり、第二の牽引ロープ7と回り車23との連結部は、回り車23の回転シャフト上には置かれていない。プッシュロッド1が第二の動作位置から第一の動作位置に転換されるときには、回り車23が回転して第二の牽引ロープ7を動かし、その結果、前部ボルト9が前部スロット10から分離するように移動し、それにより、前輪5がロック解除される。プッシュロッド1が第二の動作位置になるように回転するときには、回り車23が回転して第二の牽引ロープ7を解放し、前部ボルト9が前部バネ8の作用を受けて前部スロット10に挿入され、それにより、前輪5がロック解除される。
【００２６】
上記の説明から、プッシュロッド1の位置が変わると、第一の牽引機構及び第二の牽引機構が、それぞれ、前部ボルト9及び後部ボルト14を制御し、それにより、前輪5及び後輪6の配向機構のロック及びロック解除が達成されることが分かる。したがって、本発明では、四つの車輪の配向転換は、プッシュロッド1の向きを変えることによって達成され、任意の追加的な操作は必要とされない。
【００２７】
上記のように、本発明の精神に従って詳細な説明を示したが、本発明は上述の実施形態及び実施方法に限定されるものではない。
【００２８】
当業者により、本発明の範囲内で多数の変形及び実施を行うことができる。
【符号の説明】
【００２９】
1  プッシュロッド
2  支持ロッド
3  前輪支持体、前輪ブラケット
4  後輪支持体、後輪ブラケット
5  前輪
6  後輪
7  第二の牽引ロープ
8  前部バネ
9  前部ボルト
10  前部スロット
11  前部連結部材
12  第一の回転シャフト
13  後部バネ
14  後部ボルト
15  後部スロット
16  後部連結部材
17  第二の回転シャフト
18  第一の牽引ロープ
19  摺動ブロック
20  圧縮バネ
21  突出部
22  傾斜面
23  回り車
24  座席ポケット
【図１】
2014129081.tif 000003
【図２】
2014129081.tif 000004
【図３】
2014129081.tif 000005
【図４】
2014129081.tif 000006
【図５】
2014129081.tif 000007
【図６】
2014129081.tif 000008
【図７】
2014129081.tif 000009
【図８】
2014129081.tif 000010
【図９】
2014129081.tif 000011
【図１０】
2014129081.tif 000012
【図１１】
2014129081.tif 000013
【外国語明細書】
2014129081000001.pdf